(57)【要約】【課題】            段調光するときの明るさを任意に設定できるようにすることを目的とする。【解決手段】        ランプ７の点灯状態を制御する点灯制御部１０と、点灯制御部１０の制御状態を切り替える信号を入力する入力部１６と、入力部１６に連続的なオン信号が入力されている時間を計時するタイマ部１７と、明るさ情報を記憶する記憶部１９と、タイマ部１７の計時する時間が所定時間を超えるとき、入力部にオン信号が入力されている間はランプ７の明るさを連続的に変化させる制御信号を点灯制御部１０に出力するとともに、制御信号に応じて変化するときの明るさを明るさ情報として記憶部１９に記憶させ、タイマ部１７の計時する時間が所定時間よりも短いとき、ランプ７の点灯状態を「全光点灯」「調光点灯」「消灯」のいずれかに切り替えるとともに、「調光点灯」は記憶部１９に記憶している明るさ情報に基づいて点灯制御部１０を制御する制御判別部１８とを備える。【選択図】          図３
2008041254.tif 000002
【特許請求の範囲】
【請求項１】
接続されるランプの点灯状態を制御する点灯制御部と、
前記点灯制御部の制御状態を切り替える信号を入力する入力部と、
前記入力部に入力される信号が連続的なオン信号またはオフ信号のとき、そのオン信号またはオフ信号が入力されている時間を計時するタイマ部と、
前記ランプを点灯させる明るさ情報を記憶する記憶部と、
前記タイマ部が計時する時間が所定時間を超えるとき、前記入力部にオン信号が入力されている間は前記ランプの明るさを連続的に変化させる制御信号を前記点灯制御部に出力するとともに、前記制御信号に応じて変化するときの明るさを前記明るさ情報として前記記憶部に記憶させ、前記タイマ部が計時する時間が所定時間よりも短いとき、前記ランプの点灯状態を「全光点灯」、「調光点灯」、「消灯」のいずれかに切り替えるとともに、前記「調光点灯」は前記記憶部に記憶している前記明るさ情報に基づいて前記点灯制御部を制御する制御判別部と、
を備えることを特徴とする点灯装置。
【請求項２】
請求項１に記載の点灯装置と、
前記点灯装置の入力部に接続され、前記点灯制御部の点灯状態を切り替えるプルスイッチと、
を備えることを特徴とする照明器具。
【請求項３】
請求項１に記載の点灯装置と、
前記点灯装置の入力部に接続され、外部からの信号を受信するとともに、この受信した信号に基づく受信信号を前記入力部に出力する受信部と、
を備えることを特徴とする照明器具。
【請求項４】
照明器具に備えるランプの点灯状態を切り替える切り替えボタン、
前記切り替えボタンが押されている期間は間歇または連続する信号を送信する送信部、
を有するリモコン送信器と、
前記リモコン送信器から送信される信号を外部からの信号として受信する請求項３に記載の照明器具と、
を備えることを特徴とする照明機器。
【発明の詳細な説明】
【技術分野】
【０００１】
この発明は、照明装置の明るさを任意の明るさに調光させる技術に関するものである。
【背景技術】
【０００２】
補助スイッチによるオンオフ信号の発生間隔が所定間隔以内の場合には予め設定されている光源の光出力の複数モードを順送りする第１のモードと、オンオフ信号の発生間隔が所定間隔を越える場合には光源の光出力を連続調光する第２のモードとを備えて、補助スイッチの操作によって第１と第２のモードを切り替える技術が例えば特許文献１に開示されている。
【０００３】
また、引き紐スイッチを引いている間段階的に明るくし、引き紐スイッチを離したときの明るさを維持することが例えば特許文献２に開示されている。
【０００４】
また、壁スイッチオフ直前の状態をメモリに記憶しておき、再オン時にメモリを読み出してオフ直前の状態にすることが例えば特許文献３に開示されている。
【０００５】
【特許文献１】特開平５−２７５１７６号（段落「００１６」２行目〜７行目、段落「００１７」１行目〜８行目）
【特許文献２】特開昭５８−１２１５９２号（３頁左上４行目〜３頁左下１７行目）
【特許文献３】特開平４−２７２６９０号（段落「００１７」１行目〜段落「００１８」４行目）
【発明の開示】
【発明が解決しようとする課題】
【０００６】
従来の照明装置は、補助スイッチによるオンオフ信号に応じて光源の光出力の複数モードを順送りして段調光するまたは光源の光出力を連続調光するように構成されている。
【０００７】
しかしながら、段調光するときの明るさは予め設定される明るさとなるため、必ずしもユーザーの所望の明るさとなるとは限らなかった。
【０００８】
また、点灯しているときの明るさから連続調光が開始され、連続調光時に明るさが変化する方向によっては、連続調光の上限調光率または下限調光率を経由してから所望の明るさに達するため、所望の明るさになるまでに時間がかかることがあった。
【０００９】
この発明は、段調光するときの明るさを任意に設定できるようにすることを目的とする。
【００１０】
また、この発明は、連続調光時に明るさが変化する方向を切り替えて、短時間に所望の明るさに連続調光することを目的とする。
【課題を解決するための手段】
【００１１】
接続されるランプの点灯状態を制御する点灯制御部と、前記点灯制御部の制御状態を切り替える信号を入力する入力部と、前記入力部に入力される信号が連続的なオン信号またはオフ信号のとき、そのオン信号またはオフ信号が入力されている時間を計時するタイマ部と、前記ランプを点灯させる明るさ情報を記憶する記憶部と、前記タイマ部が計時する時間が所定時間を超えるとき、前記入力部にオン信号が入力されている間は前記ランプの明るさを連続的に変化させる制御信号を前記点灯制御部に出力するとともに、前記制御信号に応じて変化するときの明るさを前記明るさ情報として前記記憶部に記憶させ、前記タイマ部が計時する時間が所定時間よりも短いとき、前記ランプの点灯状態を「全光点灯」、「調光点灯」、「消灯」のいずれかに切り替えるとともに、前記「調光点灯」は前記記憶部に記憶している前記明るさ情報に基づいて前記点灯制御部を制御する制御判別部と、を備える。
【発明の効果】
【００１２】
接続されるランプの点灯状態を制御する点灯制御部と、前記点灯制御部の制御状態を切り替える信号を入力する入力部と、前記入力部に入力される信号が連続的なオン信号またはオフ信号のとき、そのオン信号またはオフ信号が入力されている時間を計時するタイマ部と、前記ランプを点灯させる明るさ情報を記憶する記憶部と、前記タイマ部が計時する時間が所定時間を超えるとき、前記入力部にオン信号が入力されている間は前記ランプの明るさを連続的に変化させる制御信号を前記点灯制御部に出力するとともに、前記制御信号に応じて変化するときの明るさを前記明るさ情報として前記記憶部に記憶させ、前記タイマ部が計時する時間が所定時間よりも短いとき、前記ランプの点灯状態を「全光点灯」、「調光点灯」、「消灯」のいずれかに切り替えるとともに、前記「調光点灯」は前記記憶部に記憶している前記明るさ情報に基づいて前記点灯制御部を制御する制御判別部と、を備えているので、「調光点灯」時の明るさを所望の明るさに設定することができる。
【発明を実施するための最良の形態】
【００１３】
実施の形態１．
本実施の形態の照明器具の構造について説明する。
【００１４】
図１〜図３は、本実施の形態の照明器具の構造を示す図である。
【００１５】
図１の照明器具１は、照明器具本体２と、照明器具本体２の発光面側に取り付けられるセード３（カバー）とを備える。
【００１６】
照明器具本体２の裏面側から引き紐４をガイドする引き紐ガイド５が突出している。
【００１７】
図２は、図１の照明器具１からセードを取り外した状態を示す図である。
【００１８】
照明器具本体２には、天井への天井取付部６と、ランプ７を取り付けるランプホルダ８を備えている。
【００１９】
また、照明器具本体２の内部にはランプ７を点灯するための点灯装置９（図示しない）を備えている。
【００２０】
図３は、点灯装置９の回路を示す図である。
【００２１】
点灯装置９は、ランプ７を点灯するための点灯制御部１０と、点灯制御部１０に制御信号を出力してランプ７の点灯状態を制御する制御部１１とを備えている。
【００２２】
点灯制御部１０は、商用電源を入力して、入力した交流電圧をダイオードブリッジＤＢで直流に変換し、この直流電圧をインダクタＬ１、昇圧チョッパ制御回路ＩＣ１、ダイオードＤ１及びコンデンサＣ１からなる昇圧チョッパ回路１２で２８０Ｖに昇圧している。
【００２３】
昇圧チョッパ回路１２で昇圧した直流電圧をドライブ回路ＩＣ２がスイッチング素子であるＭＯＳ−ＦＥＴ  Ｑ１、Ｑ２を交互にオン／オフして高周波の交流に変換して、インダクタＬ２→ランプ７→コンデンサＣ２のループでランプ７に高周波の交流電力を供給している。
【００２４】
なお、このインダクタＬ２のインピーダンスによりランプ７に流れる電流は抑制され、コンデンサＣ２によりランプ７に流れる直流成分をカットしている。
【００２５】
また、ランプ７に並列に接続されているコンデンサＣ３は、インバータ回路１３を高周波で発振させて、インバータ回路１３に接続しているインダクタＬ２と共振してランプ７の両端に高電圧を印加して、ランプ７を点灯させるためのものである。
【００２６】
コンデンサＣ４の一端側とダイオードＤ２のカソード端子が接続され、コンデンサＣ４の他端側は、ＭＯＳ−ＦＥＴ  Ｑ１のソース端子、ＭＯＳ−ＦＥＴ  Ｑ２のドレイン端子とインダクタＬ２の接点に接続され、ダイオードＤ２のアノード端子は、コンデンサＣ１のマイナス端子間に接続されて、インバータ回路１３が発振しているときに制御部１１の電源を生成する制御電源生成回路１４を備えている。
【００２７】
制御電源回路１５は、インバータ回路１３が発振していない、つまりランプ７が消灯しているときは、ダイオードブリッジＤＢからの出力を受け、インバータ回路１３が発振しているときは、制御電源生成回路１４の出力を受けて、制御部１１に電力を供給している。
【００２８】
引き紐４を引っ張るとスイッチＳＷがオンするようにスイッチＳＷに引き紐４が接続されており、このスイッチＳＷは制御部１１の入力部１６に接続されている。
【００２９】
制御部１１は、スイッチＳＷのオン／オフ信号を入力する入力部１６と、時間を計時するタイマ部１７と、入力部１６に入力されるオン／オフ信号とタイマ部１７が計時する時間に応じてランプ７の点灯状態を変更する制御信号をインバータ回路１３に出力する制御判別部１８と、ランプ７の点灯状態を記憶する記憶部１９とを備えている。
【００３０】
次に、本実施の形態の照明器具１の点灯装置９の動作について説明する。
【００３１】
図４は、本実施の形態の点灯装置９の動作を示すフローチャートのメインルーチンであり、図５（ａ）、（ｂ）は点灯装置９の動作のうち、連続調光の動作を示すサブルーチン、図５（ｃ）は点灯装置９の動作のうち、段調光の動作を示すサブルーチンである。
【００３２】
（１）メインルーチン１．
引き紐４を引き、スイッチＳＷをオンするとタイマ部１７のタイマＴを初期化（ステップ１）して、タイマＴが１秒以上であるか否かを判別する（ステップ２）。
【００３３】
ステップ２でタイマＴが１秒未満であるときは、スイッチＳＷがオンの状態（引き紐４を引いている状態）を継続しているかを判別（ステップ３）し、スイッチＳＷがオンの状態を継続しているときはタイマＴに１００ｍ秒増加させる（ステップ４）。ここで、ステップ４で増加する時間を１００ｍ秒としたが、ステップ４で増加する時間はステップ２〜ステップ３にかかる時間によって適宜設定する。
【００３４】
ステップ２でスイッチＳＷをオンしている時間が１秒以上であると判別したときは、記憶部１９に記憶している調光率Ｍと調光変化の方向Ｃを読み出して（ステップ５）、メインルーチン２に移行する。
【００３５】
ステップ３で、スイッチＳＷがオフ状態であるとき、サブルーチンＤＩＭに移行する。
【００３６】
（２）メインルーチン２．
調光変化の方向Ｃが上昇（ＵＰ）であるか判別（ステップ６）し、調光変化の方向Ｃが上昇であるとき、連続調光のサブルーチンＣＤ１に移行し、調光変化の方向Ｃが降下であるとき、連続調光のサブルーチンＣＤ２に移行する。
【００３７】
（３）サブルーチンＣＤ１．
調光率Ｍが予め設定される上限調光率であるかを判別（ステップ７）し、調光率Ｍが上限調光率でないとき調光率Ｍを５％増加（ステップ８）させ、増加した調光率Ｍに対応する制御信号をインバータ回路１３に出力する（ステップ９）。
【００３８】
ステップ７で調光率Ｍが上限調光率であるとき、調光変化の方向Ｃを降下（ＤＯＷＮ）にし（ステップ１０）、調光率Ｍを５％減少（ステップ１１）させて、減少した調光率Ｍに対応する制御信号をインバータ回路１３に出力する（ステップ１２）。
【００３９】
（４）サブルーチンＣＤ２．
調光率Ｍが予め設定される下限調光率であるかを判別（ステップ１３）し、調光率Ｍが下限調光率でないとき調光率Ｍを５％減少（ステップ１４）させ、減少した調光率Ｍに対応する制御信号をインバータ回路１３に出力する（ステップ１５）。
【００４０】
ステップ１５で調光率Ｍが下限調光率であるとき、調光変化の方向Ｃを上昇（ＵＰ）にし（ステップ１６）、調光率Ｍを５％増加（ステップ１７）させて、増加した調光率Ｍに対応する制御信号をインバータ回路１３に出力する（ステップ１８）。
【００４１】
（５）メインルーチン３．
サブルーチンＣＤ１またはサブルーチンＣＤ２の処理後、スイッチＳＷがオンの状態（引き紐４を引いている状態）を継続しているかを判別（ステップ１９）し、スイッチＳＷがオンの状態が継続しているときはステップ６に戻り、スイッチＳＷがオフ状態のときは調光率Ｍ、調光変化の方向Ｃを記憶部１９に記憶（ステップ２０）して、終了する。
【００４２】
なお、上限調光率から下限調光率（または下限調光率から上限調光率）に到達する時間を短時間に設定すると所望の明るさに設定するのが難しく、また長時間に設定すると所望の明るさに設定するまで時間がかかる。
【００４３】
したがって、上限調光率から下限調光率（または下限調光率から上限調光率）に到達する時間は１０秒（調光率の変化速度７．５％／秒）〜１５秒（調光率の変化速度５％／秒）程度に設定するのが望ましい。
【００４４】
なお、この時間は上限調光率１００％、下限調光率２５％の場合であり、上限調光率と下限調光率の幅が狭い、例えば上限調光率を８０％、下限調光率を４０％にするときなどは、上限調光率から下限調光率までの時間を５秒〜８秒程度に設定するなど、上限調光率と下限調光率の調光率の幅に応じて適宜設定するとよい。
【００４５】
（６）サブルーチンＤＩＭ．
インバータ回路１３に出力している制御信号が全光点灯に対応する制御信号であるか判別（ステップ２１）する。
【００４６】
ステップ２１で全光点灯であると判別するとき、記憶部１９から調光率Ｍを読み出し（ステップ２２）、調光率Ｍに対応する制御信号をインバータ回路１３に出力（ステップ２３）して、終了する。
【００４７】
ステップ２１で全光点灯でないと判別するとき、インバータ回路１３に出力している制御信号が調光率Ｍに対応する制御信号であるか判別（ステップ２４）する。
【００４８】
ステップ２４で調光率Ｍに対応する制御信号であると判別するとき、消灯に対応する制御信号をインバータ回路１３に出力（ステップ２５）して、終了する。
【００４９】
ステップ２４で調光率Ｍに対応する制御信号でないと判別するとき、全光点灯に対応する制御信号をインバータ回路１３に出力（ステップ２６）して、終了する。
【００５０】
本実施の形態によれば、スイッチＳＷをオンしている期間、ランプ７の明るさを連続的に調光させて所望の明るさに設定でき、このときの明るさを調光率Ｍとして記憶部１９に記憶させて、スイッチＳＷを短時間のオン／オフ操作することによってランプ７の点灯状態を全光→調光→消灯のように切り替える際の調光点灯状態を、ユーザーが設定する調光率Ｍとすることができるので、使用される空間の広さなど環境に応じる明るさに容易に設定できる。
【００５１】
実施の形態２．
本実施の形態は、実施の形態１の図１〜図３に記載の照明器具及び点灯装置の構成と同じであり、点灯装置の動作が異なる。本実施の形態において、実施の形態１と同一な部分について同一符号を付し説明を省略し、異なる動作について詳細に説明をする。
【００５２】
図６、図７は、本実施の形態の点灯装置の動作を示すフローチャートである。
【００５３】
図６は、本実施の形態の点灯装置９の動作を示すフローチャートのメインルーチン、図７（ａ）は点灯装置９の動作のうち、ランプ７を点灯している調光率を判別する動作を示すサブルーチン、図７（ｂ）、（ｃ）は点灯装置９の動作のうち、連続調光の動作を示すサブルーチン、図７（ｄ）は点灯装置９の動作のうち、段調光の動作を示すサブルーチンである。
【００５４】
（１）メインルーチン１．
引き紐４を引き、スイッチＳＷをオンするとタイマ部１７のタイマＴを初期化（ステップ１）して、タイマＴが１秒以上であるか否かを判別する。（ステップ２）
【００５５】
ステップ２でタイマＴが１秒未満であるときは、スイッチＳＷがオンの状態（引き紐４を引いている状態）を継続しているかを判別（ステップ３）し、スイッチＳＷがオンの状態を継続しているときはタイマＴに１００ｍｓ増加させる（ステップ４）。ここで、ステップ４で増加する時間を１００ｍｓとしたが、ステップ４で増加する時間はステップ２〜ステップ３にかかる時間によって適宜設定する。
【００５６】
ステップ３でスイッチＳＷがオフの状態であるとき、サブルーチンＤＩＭに移行する。
【００５７】
ステップ２でスイッチＳＷをオンしている時間が１秒以上であると判別したときは、記憶部１９に記憶している調光率Ｍと調光変化の方向Ｃを読み出して（ステップ５）、サブルーチンＣＨＫに移行する。
【００５８】
（２）サブルーチンＣＨＫ．
ステップ５で記憶部１９から読み出した調光率Ｍが７０％以上であるかを判別（ステップ３１）し、調光率Ｍが７０％以上であるときは調光変化の方向Ｃを降下（ＤＯＷＮ）にして（ステップ３２）、メインルーチン２に移行する。
【００５９】
ステップ３１で調光率Ｍが７０％以上でないと判別するときは、調光率Ｍが４０％以下であるかを判別（ステップ４１）し、調光率Ｍが４０％以下であるときは調光変化の方向Ｃを上昇（ＵＰ）にして（ステップ４２）、メインルーチン２に移行する。
【００６０】
ステップ４１で調光率Ｍが４０％以下でないと判別するときは、調光変化の方向Ｃを記憶部１９から読み出した値として、メインルーチン２に移行する。
【００６１】
（３）メインルーチン２．
調光変化の方向Ｃが上昇（ＵＰ）であるか判別（ステップ６）し、調光変化の方向Ｃが上昇であるとき、連続調光のサブルーチンＣＤ１に移行し、調光変化の方向Ｃが降下であるとき、連続調光のサブルーチンＣＤ２に移行する。
【００６２】
（４）サブルーチンＣＤ１．
調光率Ｍが予め設定される上限調光率であるかを判別（ステップ７）し、実施の形態１のサブルーチンＣＤ１と同様の動作をする。そのため、実施の形態１と同様の符号を付し、説明を省略する。
【００６３】
（５）サブルーチンＣＤ２．
調光率Ｍが予め設定される下限調光率であるかを判別（ステップ１３）し、実施の形態１のサブルーチンＣＤ２と同様の動作をする。そのため、実施の形態１と同様の符号を付し、説明を省略する。
【００６４】
（６）メインルーチン３．
サブルーチンＣＤ１またはサブルーチンＣＤ２の処理後、実施の形態１のメインルーチン３と同様の動作をする。そのため、実施の形態１と同様の符号を付し、説明を省略する。
【００６５】
（７）サブルーチンＤＩＭ．
ステップ３でスイッチＳＷがオフの状態であるとき、実施の形態１のサブルーチンＤＩＭと同様の動作をする。そのため、実施の形態１と同様の符号を付し、説明を省略する。
【００６６】
本実施の形態によれば、実施の形態１と同様、スイッチＳＷをオンしている期間、ランプ７の明るさを連続的に調光させて所望の明るさに設定でき、このときの明るさを調光率Ｍとして記憶部１９に記憶させて、スイッチＳＷを短時間のオン／オフ操作することによってランプ７の点灯状態を全光→調光→消灯のように切り替える際の調光点灯状態を、ユーザーが設定する調光率Ｍとすることができるので、使用される空間の広さなど環境に応じる明るさに容易に設定できる。
【００６７】
また、点灯しているランプ７の調光率に応じて、調光変化の方向Ｃを切り替えるので、調光率が上限調光率に近くユーザーが暗くしたいとき、上限調光率の明るさを経由することなく、短時間に低い調光率に設定することができ、また、調光率が下限調光率に近くユーザーが明るくしたいとき、下限調光率の明るさを経由することなく、短時間に高い調光率に設定することができる。
【００６８】
実施の形態３．
本実施の形態は、実施の形態１または実施の形態２の照明器具及び点灯装置の構成と同じであり、点灯装置の動作が異なる。本実施の形態において、実施の形態１または実施の形態２と同一な部分について同一符号を付して説明を省略し、異なる動作について、詳細に説明をする。
【００６９】
図８は、本実施の形態の点灯装置９の動作をフローチャートのメインルーチン、図９（ａ）は点灯装置９の動作のうち、ランプ７を点灯している調光率を判別する動作を示すサブルーチン、図１０は点灯装置９の動作のうち、調光変化の方向を切り替える動作を示すサブルーチン、図９（ｂ）、（ｃ）は点灯装置９の動作のうち、連続調光の動作を示すサブルーチン、図９（ｄ）は点灯装置９の動作のうち、段調光の動作を示すサブルーチンである。
【００７０】
（１）メインルーチン１．
引き紐４を引きスイッチＳＷをオンするとタイマ部１７のタイマＴを初期化（ステップ１）して、タイマＴが１秒以上であるか否かを判別する。（ステップ２）
【００７１】
ステップ２でタイマＴが１秒未満であるときは、スイッチＳＷがオンの状態（引き紐４を引いている状態）を継続しているかを判別（ステップ３）し、スイッチＳＷがオンの状態を継続しているときはタイマＴに１００ｍｓ増加させる（ステップ４）。ここで、ステップ４で増加する時間を１００ｍｓとしたが、ステップ４で増加する時間はステップ２〜ステップ３にかかる時間によって適宜設定する。
【００７２】
ステップ３でスイッチＳＷがオフの状態であるとき、サブルーチンＤＩＭに移行する。
【００７３】
ステップ２でスイッチＳＷをオンしている時間が１秒以上であると判別したときは、記憶部１９に記憶している調光率Ｍと調光変化の方向Ｃを読み出して（ステップ５）、サブルーチンＣＨＫに移行する。
【００７４】
（２）サブルーチンＣＨＫ．
ステップ５で記憶部１９から読み出した調光率Ｍが７０％以上であるかを判別（ステップ３１）し、調光率Ｍが７０％以上であるときは調光変化の方向Ｃを降下（ＤＯＷＮ）にして（ステップ３２）、サブルーチンＲＥＶに移行する。
【００７５】
ステップ３１で調光率Ｍが７０％以上でないと判別するときは、調光率Ｍが４０％以下であるかを判別（ステップ４１）し、調光率Ｍが４０％以下であるときは調光変化の方向Ｃを上昇（ＵＰ）にして（ステップ４２）、サブルーチンＲＥＶに移行する。
【００７６】
ステップ４１で調光率Ｍが４０％以下でないと判別するときは、調光変化の方向Ｃを記憶部１９から読み出した値として、サブルーチンＲＥＶに移行する。
【００７７】
（３）サブルーチンＲＥＶ．
チェッカＮを「０」に設定（ステップ５１）し、タイマ部１７のタイマＴを初期化する（ステップ５２）。
【００７８】
タイマＴが０．２秒以上であるかを判別（ステップ５３）し、タイマＴが０．２秒以上のときはチェッカＮを１にしてメインルーチン４に移行する（ステップ５４）。ここで、チェッカＮを１とするのは、連続調光の動作を継続するか、否かを判別するための識別符号であり、この実施の形態ではチェッカＮが１のとき、連続調光の動作を継続することを示している。
【００７９】
ステップ５３で、タイマＴが０．２秒未満であるときはスイッチＳＷがオン状態を継続しているかを判別（ステップ５５）し、オン状態が継続しているときはタイマＴに１００ｍｓを加算する（ステップ５６）。なお、ステップ５６で加算する時間は、ステップ５３、ステップ５５で要する時間であり、１００ｍｓに限定されない。
【００８０】
ステップ５５でスイッチＳＷがオフ状態であることを判別するとき、タイマ部１７のタイマＴを初期化（ステップ５７）して、タイマＴが３秒以上であるときはメインルーチン４に移行する（ステップ５８）。
【００８１】
ステップ５８でタイマＴが３秒未満であると判別するとき、スイッチＳＷがオンになったかを判別（ステップ５９）し、オフ状態を継続しているときはタイマＴに１００ｍｓを加算する（ステップ６０）。なお、ステップ６０で加算する時間は、ステップ５６と同様に、ステップ５８、ステップ５９で要する時間であり、１００ｍｓに限定されない。
【００８２】
ステップ５９でスイッチＳＷがオンになったことを判別するとき、チェッカＮを１にして（ステップ６１）、調光変化の方向ＣがＵＰであるか判別する（ステップ６２）。
【００８３】
ステップ６２で調光変化の方向ＣがＵＰであると判別するとき、調光変化の方向ＣをＤＯＷＮに替えて、ステップ５２に戻る（ステップ６３）。
【００８４】
また、ステップ６２で調光変化の方向ＣがＤＯＷＮであると判別するとき、調光変化の方向ＣをＵＰに替えて、ステップ５２に戻る（ステップ６４）。
【００８５】
（４）メインルーチン４．
サブルーチンＲＥＶでチェックしたチェッカＮが「１」であるかを判別し、「１」であると判別するときはメインルーチン２に移行して、「１」でない（「０」のとき）と判別するときは終了する。
【００８６】
（５）メインルーチン２．
調光変化の方向Ｃが上昇（ＵＰ）であるか判別（ステップ６）し、調光変化の方向Ｃが上昇であるとき、連続調光のサブルーチンＣＤ１に移行し、調光変化の方向Ｃが降下であるとき、連続調光のサブルーチンＣＤ２に移行する。
【００８７】
（６）サブルーチンＣＤ１．
調光率Ｍが予め設定される上限調光率であるかを判別（ステップ７）し、実施の形態１のサブルーチンＣＤ１と同様の動作をする。そのため、実施の形態１と同様の符号を付し、説明を省略する。
【００８８】
（７）サブルーチンＣＤ２．
調光率Ｍが予め設定される下限調光率であるかを判別（ステップ１３）し、実施の形態１のサブルーチンＣＤ２と同様の動作をする。そのため、実施の形態１と同様の符号を付し、説明を省略する。
【００８９】
（８）メインルーチン３．
サブルーチンＣＤ１またはサブルーチンＣＤ２の処理後、実施の形態１のメインルーチン３と同様の動作をする。そのため、実施の形態１と同様の符号を付し、説明を省略する。
【００９０】
（９）サブルーチンＤＩＭ．
ステップ３でスイッチＳＷがオフの状態であるとき、実施の形態１のサブルーチンＤＩＭと同様の動作をする。そのため、実施の形態１と同様の符号を付し、説明を省略する。
【００９１】
本実施の形態によれば、実施の形態１と同様、スイッチＳＷをオンしている期間、ランプ７の明るさを連続的に調光させて所望の明るさに設定でき、このときの明るさを調光率Ｍとして記憶部１９に記憶させて、スイッチＳＷを短時間のオン／オフ操作することによってランプ７の点灯状態を全光→調光→消灯のように切り替える際の調光点灯状態を、ユーザーが設定する調光率Ｍとすることができるので、使用される空間の広さなど環境に応じる明るさに容易に設定できる。
【００９２】
また、点灯しているランプ７の調光率に応じて、調光変化の方向Ｃを切り替えるので、調光率が上限調光率に近くユーザーが暗くしたいとき、上限調光率の明るさを経由することなく、短時間に低い調光率に設定することができ、また、調光率が下限調光率に近くユーザーが明るくしたいとき、下限調光率の明るさを経由することなく、短時間に高い調光率に設定することができる。
【００９３】
また、連続調光しているときにスイッチＳＷを短時間のオフ／オン操作することによって、調項変化の方向を切り替え（反転）できるので、短時間にユーザーの所望の明るさに設定することができる。
【００９４】
実施の形態４．
本実施の形態は、実施の形態１〜実施の形態３の照明器具及び点灯装置において、引き紐によってスイッチをオン／オフしてランプの点灯状態を切り替える場合について説明したが、引き紐及びスイッチに置き換えてリモコン送信器からの赤外線信号などの無線信号を受信する受信部を備えて、受信部で受信する信号に基づいて、ランプの点灯状態を切り替えるものである。
【００９５】
本実施の形態において、実施の形態１〜実施の形態３と同一な部分について同一符号を付して説明を省略し、異なる動作について詳細に説明をする。
【００９６】
本実施の形態のリモコン送信器及び照明器具の構造について説明する。
【００９７】
図１１〜図１５は、本実施の形態のリモコン送信器及び照明器具の構造を示す図である。
【００９８】
図１１は、本実施の形態の照明装置を示す図であり、図１１（ａ）はリモコン送信器を示す図であり、図１１（ｂ）は照明器具を示す図である。
【００９９】
図１１（ａ）は、リモコン送信器２１は、リモコン本体２２の前面部に操作ボタン２３を有し、上部に赤外線を出力するＬＥＤ２４を備えている。
【０１００】
図１１（ｂ）は、照明器具本体２の発光面に、ランプ７の光を拡散するセード３（カバー）を備える。
【０１０１】
図１２はリモコン送信器２１の内部構成を示すブロック図である。
【０１０２】
リモコン送信器２１の操作ボタン２３を押すと制御部２５にオン信号が入力され、制御部２５から点灯状態を切り替える切替信号が出力され、送信部２６は切替信号を赤外線信号としてＬＥＤ２４を介して出力する。
【０１０３】
図１３は、図１１（ｂ）の照明器具１からセード３を取り外した状態を示す図である。
【０１０４】
図１４は、照明器具本体２の内部に備えられた点灯装置９の回路構成を示す回路図である。
【０１０５】
照明器具本体２には、天井への取付け部と、ランプ７を取り付けるランプホルダ８を備え、リモコン送信器２１からの赤外線信号を受信する受信部２７を備えている。
【０１０６】
また、照明器具本体２の内部にはランプ７を点灯するための点灯装置９を備え、受信部２７内にリモコン受信回路２８を備えている。
【０１０７】
リモコン受信回路２８の出力端子は制御部１１に接続され、リモコン受信回路２８が受信した信号に基づいた受信信号を制御部１１の入力部１６に出力している。
【０１０８】
図１５は、リモコン送信器２１から送信する赤外線信号の状態を示す図である。
【０１０９】
このリモコン送信器２１は、図１５（ａ）に示すように操作ボタン２３を押している（オン状態）期間はリモコン信号（赤外線信号）を送信し続ける。操作ボタン２３を離したときは、図１５（ｂ）に示すようにリモコン信号の送信を停止するが、リモコン信号を送信中に操作ボタン２３を離したときは、図１５（ｃ）に示すように送信中のリモコン信号を送信後、停止する。
【０１１０】
図１６は、本実施の形態の点灯装置９の動作を示すフローチャートのメインルーチン、図１７（ａ）は点灯装置９の動作のうち、ランプ７を点灯している調光率を判別する動作を示すサブルーチン、図１７（ｂ）、（ｃ）は点灯装置９の動作のうち、連続調光の動作を示すサブルーチン、図１７（ｄ）は点灯装置９の動作のうち、段調光の動作を示すサブルーチン、図１８は点灯装置９の動作のうち、調光変化の方向を切り替える動作を示すサブルーチンである。
【０１１１】
（１）メインルーチン１０１．
リモコン送信器２１の操作ボタン２３を押すと、リモコン信号が送信され、照明器具１の受信部２７内にあるリモコン受信回路２８がリモコン信号を受信するとタイマ部のタイマＴを初期化（ステップ１０１）して、タイマＴが１秒以上であるか否かを判別する。（ステップ１０２）
【０１１２】
ステップ１０２でタイマＴが１秒未満であるときは、リモコン信号受信状態を継続しているかを判別（ステップ１０３）し、リモコン信号受信状態を継続しているときはタイマＴに１００ｍｓ増加させる（ステップ１０４）。ここで、ステップ１０４で増加する時間を１００ｍｓとしたが、ステップ１０４で増加する時間はステップ１０２〜ステップ１０３にかかる時間によって適宜設定する。
【０１１３】
ステップ１０２でリモコン信号受信状態の時間が１秒以上であると判別したときは、記憶部１９に記憶している調光率Ｍと調光変化の方向Ｃを読み出して（ステップ１０５）、サブルーチンＣＨＫに移行する。
【０１１４】
（２）サブルーチンＣＨＫ．
ステップ１０５で記憶部１９から読み出した調光率Ｍが７０％以上であるかを判別（ステップ３１）した後、実施の形態３のサブルーチンＣＨＫと同様の動作をする。そのため、実施の形態３と同様の符号を付し、説明を省略する。
【０１１５】
（３）サブルーチンＲＥＶ．
チェッカＮを「０」に設定（ステップ５１）し、タイマ部１７のタイマＴを初期化する（ステップ５２）。
【０１１６】
タイマＴが０．２秒以上であるかを判別（ステップ５３）し、タイマＴが０．２秒以上のときはチェッカＮを１にしてメインルーチン４に移行する（ステップ５４）。ここで、チェッカＮを１とするのは、連続調光の動作を継続するか、否かを判別するための識別符号であり、この実施の形態ではチェッカＮが１のとき、連続調光の動作を継続することを示している。
【０１１７】
ステップ５３で、タイマＴが０．２秒未満であるときはリモコン信号受信状態を継続しているかを判別（ステップ１５５）し、リモコン信号受信状態が継続しているときはタイマＴに１００ｍｓを加算する（ステップ５６）。なお、ステップ５６で加算する時間は、ステップ５３、ステップ１５５で要する時間であり、１００ｍｓに限定されない。
【０１１８】
ステップ１５５でリモコン信号受信が途絶えた状態であることを判別するとき、タイマ部１７のタイマＴを初期化（ステップ５７）して、タイマＴが３秒以上であるときはメインルーチン４に移行する（ステップ５８）。
【０１１９】
ステップ５８でタイマＴが３秒未満であると判別するとき、リモコン信号を受信しているかを判別（ステップ１５９）し、リモコン信号を受信していないときは、タイマＴに１００ｍｓを加算する（ステップ６０）。なお、ステップ６０で加算する時間は、ステップ５７と同様に、ステップ５８、ステップ１５９で要する時間であり、１００ｍｓに限定されない。
【０１２０】
ステップ１５９でスイッチＳＷがオンになったことを判別するとき、チェッカＮを１にして（ステップ６１）、調光変化の方向ＣがＵＰであるか判別する（ステップ６２）。
【０１２１】
ステップ６２で調光変化の方向ＣがＵＰであると判別するとき、調光変化の方向ＣをＤＯＷＮに替えて、ステップ５２に戻る（ステップ６３）。
【０１２２】
また、ステップ６２で調光変化の方向ＣがＤＯＷＮであると判別するとき、調光変化の方向ＣをＵＰに替えて、ステップ５２に戻る（ステップ６４）。
【０１２３】
（４）メインルーチン４．
サブルーチンＲＥＶの処理後、実施の形態３のメインルーチン４と同様の動作をする。そのため、実施の形態３と同様の符号を付し、説明を省略する。
【０１２４】
（５）メインルーチン２．
メインルーチン４の処理後、実施の形態３のメインルーチン２と同様の動作をする。そのため、実施の形態３と同様の符号を付し、説明を省略する。
【０１２５】
（６）サブルーチンＣＤ１．
調光率Ｍが予め設定される上限調光率であるかを判別（ステップ７）し、実施の形態３のサブルーチンＣＤ１と同様の動作をする。そのため、実施の形態３と同様の符号を付し、説明を省略する。
【０１２６】
（７）サブルーチンＣＤ２．
調光率Ｍが予め設定される下限調光率であるかを判別（ステップ１３）し、実施の形態３のサブルーチンＣＤ２と同様の動作をする。そのため、実施の形態３と同様の符号を付し、説明を省略する。
【０１２７】
（８）メインルーチン１０３．
サブルーチンＣＤ１またはサブルーチンＣＤ２の処理後、リモコン信号受信状態を継続しているかを判別（ステップ１１９）し、リモコン信号受信状態が継続しているときはステップ６に戻り、リモコン信号を受信していない状態のときは調光率Ｍ、調光変化の方向Ｃを記憶部１９に記憶（ステップ１２０）して、終了する。
【０１２８】
なお、上限調光率から下限調光率（または下限調光率から上限調光率）に到達する時間を短時間に設定すると所望の明るさに設定するのが難しく、また長時間に設定すると所望の明るさに設定するまで時間がかかる。
【０１２９】
したがって、上限調光率から下限調光率（または下限調光率から上限調光率）に到達する時間は１０秒（調光率の変化速度７．５％／秒）〜１５秒（調光率の変化速度５％／秒）程度に設定するのが望ましい。
【０１３０】
なお、この時間は上限調光率１００％、下限調光率２５％の場合であり、上限調光率と下限調光率の幅が狭い、例えば上限調光率を８０％、下限調光率を４０％にするときなどは、上限調光率から下限調光率までの時間を５秒〜８秒程度に設定するなど、上限調光率と下限調光率の調光率の幅に応じて適宜設定するとよい。
【０１３１】
（９）サブルーチンＤＩＭ．
ステップ１０３でリモコン信号を受信していない状態であるとき、実施の形態３のサブルーチンＤＩＭと同様の動作をする。そのため、実施の形態３と同様の符号を付し、説明を省略する。
【０１３２】
本実施の形態によれば、実施の形態３と同様、リモコン送信器２１の操作ボタン２３をオンしている期間、ランプ７の明るさを連続的に調光させて所望の明るさに設定でき、このときの明るさを調光率Ｍとして記憶部１９に記憶させて、操作ボタン２３を短時間のオン／オフによってランプ７の点灯状態を全光→調光→消灯のように切り替える際の調光点灯状態を、ユーザーが設定する調光率Ｍとすることができるので、使用される空間の広さなど環境に応じる明るさに容易に設定できる。
【０１３３】
また、点灯しているランプ７の調光率に応じて、調光変化の方向を切り替えるので、調光率が上限調光率に近くユーザーが暗くしたいとき、上限調光率の明るさを経由することなく、短時間に低い調光率に設定することができ、また、調光率が下限調光率に近くユーザーが明るくしたいとき、下限調光率の明るさを経由することなく、短時間に高い調光率に設定することができる。
【０１３４】
また、連続調光しているときにスイッチＳＷを短時間のオフ／オン操作することによって、調項変化の方向を切り替え（反転）できるので、短時間にユーザーの所望の明るさに設定することができる。
【０１３５】
なお、蛍光灯が発する赤外線の影響によって、リモコン送信器２１からのリモコン信号が受信しにくいことがあるため、操作ボタンを１度押すとリモコン送信器から５回連続で同じリモコン信号を送信して、確実に受信部２７で受信するようにしている。
【０１３６】
このようなリモコン送信器に対応するように、受信を開始してから５回目までのリモコン信号では連続調光のフローチャートの動作はせず、６回目のリモコン信号から連続調光の信号としてカウントを開始するようにしてもよい。なお、６回目のリモコン信号から連続調光の信号としてカウントする場合を説明したが、３回目または７回目のリモコン信号から連続調光の信号としてもカウントするようにしてもよいが、２０回からなどとすると、ユーザーがリモコン送信器を操作してから連続調光を開始するまでに時間を要するため、３〜１０回程度からリモコン信号を受信していると判別してカウントを開始するようにするとよい。
【０１３７】
また、実施の形態１〜実施の形態４において、ランプ７を放電灯とした場合を説明したが、点灯装置９の制御方式を位相制御にして白熱電球などの明るさを制御してもよいし、点灯装置９の制御方式を定電流制御にして負荷回路に流れる電流を制御してＬＥＤなどの明るさを制御してもよい。
【図面の簡単な説明】
【０１３８】
【図１】実施の形態１を示す照明器具の構成図である。
【図２】実施の形態１を示す照明器具の内部構成図である。
【図３】実施の形態１を示す点灯装置の回路図である。
【図４】実施の形態１を示す点灯装置のフローチャートである。
【図５】実施の形態１を示す点灯装置のフローチャートである。
【図６】実施の形態２を示す点灯装置のフローチャートである。
【図７】実施の形態２を示す点灯装置のフローチャートである。
【図８】実施の形態３を示す点灯装置のフローチャートである。
【図９】実施の形態３を示す点灯装置のフローチャートである。
【図１０】実施の形態３を示す点灯装置のフローチャートである。
【図１１】実施の形態４を示す照明装置の構成図である。
【図１２】実施の形態４を示すリモコン送信器のブロック図である。
【図１３】実施の形態４を示す照明器具の内部構成図である。
【図１４】実施の形態４を示す点灯装置の回路図である。
【図１５】実施の形態４を示す操作ボタンの操作とリモコン信号の出力との関係を示す図である。
【図１６】実施の形態４を示す点灯装置のフローチャートである。
【図１７】実施の形態４を示す点灯装置のフローチャートである。
【図１８】実施の形態４を示す点灯装置のフローチャートである。
【符号の説明】
【０１３９】
１  照明器具、２  照明器具本体、３  セード、４  引き紐、５  引き紐ガイド、６  天井取付部、７  ランプ、８  ランプホルダ、９  点灯装置、１０  点灯制御部、１１  制御部、１２  昇圧チョッパ回路、１３  インバータ回路、１４  入力部、１５  制御電源生成回路、１６  制御電源回路、１７  タイマ部、１８  制御判別部、１９  記憶部、２１  リモコン送信器、２２  リモコン本体、２３  操作ボタン、２４  ＬＥＤ、２５  制御部、２６  送信部、２７  受信部、２８  リモコン受信回路、ＡＣ  商用電源、ＤＢ  ダイオードブリッジ、Ｌ１、Ｌ２  インダクタ、Ｄ１、Ｄ２  ダイオード、Ｑ１、Ｑ２  ＭＯＳ−ＦＥＴ、ＩＣ１  昇圧チョッパ制御回路、ＩＣ２  ドライバ回路、Ｃ１、Ｃ２、Ｃ３、Ｃ４  コンデンサ、ＳＷ  スイッチ。
【図１】
2008041254.tif 000003
【図２】
2008041254.tif 000004
【図３】
2008041254.tif 000005
【図４】
2008041254.tif 000006
【図５】
2008041254.tif 000007
【図６】
2008041254.tif 000008
【図７】
2008041254.tif 000009
【図８】
2008041254.tif 000010
【図９】
2008041254.tif 000011
【図１０】
2008041254.tif 000012
【図１１】
2008041254.tif 000013
【図１２】
2008041254.tif 000014
【図１３】
2008041254.tif 000015
【図１４】
2008041254.tif 000016
【図１５】
2008041254.tif 000017
【図１６】
2008041254.tif 000018
【図１７】
2008041254.tif 000019
【図１８】
2008041254.tif 000020